(57)【要約】【課題】本発明は安全な射撃玩具を開示した。【解決手段】本体及び前後に対称的なレールを含み、前記本体の中には左右に貫通した抜き穴が設置され、前記レールが前記抜き穴を通過しており、前記レールの内外端面にはすべて保護ブロックが固定的に設置され、外側の前記保護ブロックが前記抜き穴の下側の内壁に固定的に連結され、前記抜き穴の上側の内壁の中には収納チャンバが連通し合って設置され、前記収納チャンバの中には伝動装置が設置され、前記伝動装置の下端には射撃装置が連結され、前記抜き穴の下側の内壁の中には手動装置が設置され、本発明は構成が簡単で、操作が便利で、レールによって弾丸の射撃レールを制限して、弾丸を離脱させなく、更に人体にダメージを与えなく、射撃体験を影響しなく、それに閉ループに形成したレールによって弾丸を改めて装填できる。【選択図】図１
2020171632.tif 000002
【特許請求の範囲】
【請求項１】
安全な射撃玩具であって、本体及び前後に対称的なレールを含み、その特徴は、前記本体の中には左右に貫通した抜き穴が設置され、前記レールが前記抜き穴を通過しており、前記レールの内外端面にはすべて保護ブロックが固定的に設置され、外側の前記保護ブロックが前記抜き穴の下側の内壁に固定的に連結され、前記抜き穴の上側の内壁の中には収納チャンバが連通し合って設置され、前記収納チャンバの中には伝動装置が設置され、前記伝動装置の下端には射撃装置が連結され、前記抜き穴の下側の内壁の中には手動装置が設置され、前記伝動装置は前記収納チャンバの中にスライドできるように設置されたスライド板を含み、前記収納チャンバの上側の内壁の中には上電磁ブロックが固定的に設置され、前記上電磁ブロックと前記スライド板との間には圧縮撥条が固定的に連結され、前記スライド板の下側端面の左端には固定棒が固定的に連結され、前記固定棒の右側には前記収納チャンバの中でスライドできるスライド棒が設置され、前記スライド棒の上端が前記スライド板と当接し、前記固定棒の中には伝動チャンバが設置され、前記伝動チャンバの中には中間歯車が回転できるように設置され、前記中間歯車の上端にはモーター軸が固定的に連結され、前記伝動チャンバの上側の内壁の中にはモーターが固定的に設置され、前記モーター軸が前記モーターに伝動できるように連結され、前記中間歯車の左端が前記射撃装置と噛み合って連結され、前記中間歯車の右端には右歯車が噛み合って設置され、前記右歯車の右端には長い軸と横ネジボルトとが固定的に連結され、前記横ネジボルトの中には長い軸チャンバが左右に貫通して設置され、前記スライド棒の中には左に開口したネジ山抜き穴が設置され、前記横ネジボルトが前記横ネジ山抜き穴にネジ山によって連結され、前記ネジ山抜き穴の右側の内壁の中には方向変えチャンバが連通して設置され、前記長い軸の右端が前記方向変えチャンバの中に伸びて主傘歯車と固定的に連結され、前記主傘歯車の下端には副傘歯車が噛み合って設置され、前記副傘歯車の下端には縦ネジボルトが固定的に連結され、前記スライド棒の中には下に開口した仕切板チャンバが左右に貫通して設置され、前記仕切板チャンバの中には仕切板がスライドできるように設置され、前記仕切板の中には上に開口したネジ山付止り穴が設置され、前記縦ネジボルトが前記ネジ山付止り穴とネジ山によって連結され、
前記伝動装置によって改めて弾丸を装填できることを特徴とする安全な射撃玩具。
【請求項２】
前記射撃装置は前記中間歯車の左端に噛み合って設置された左歯車を含み、前記左歯車の左端には短い軸が固定的に連結され、前記伝動チャンバの左側の内壁の中には伝動ベルトチャンバが設置され、前記伝動ベルトチャンバの中には上プーリが回転できるように設置され、前記上プーリが前記短い軸に固定的に連結され、前記上プーリの下側には下プーリが回転できるように設置され、前記下プーリと前記上プーリとの間には伝動ベルトが連結され、前記下プーリの左端には駆動歯車が固定的に連結され、前記駆動歯車の前端には従動歯車が噛み合って設置され、前記従動歯車の前端には連結軸が固定的に連結され、前記伝動ベルトチャンバの前側の内壁の中には離合チャンバが設置され、前記離合チャンバの中には下電磁石が回転できるように設置され、前記下電磁石が前記連結軸と固定的に連結され、前記下電磁石の前側には離合板がスライドまた回転できるように設置され、前記離合板の中にはねじり軸がスプラインによって連結され、前記離合板の前端と前記離合チャンバの前側の内壁との間には復帰撥条が固定的に連結され、前記離合チャンバの前側内壁の中には左右に貫通し且つ下に開口したねじり板チャンバが設置され、前記ねじり軸の前端が前記ねじり板チャンバの中に伸びており且つねじり板と固定的に連結され、前記ねじり板の前端と前記ねじり板チャンバの前側の内壁との間にはねじりばねが固定的に連結され、
前記射撃装置によって弾丸を発射できることを特徴とする請求項２に記載の安全な射撃玩具。
【請求項３】
前記手動装置は前記抜き穴の下側の内壁の中に設置された連通溝を含み、前記連通溝の右側の内壁の中には右に開口したボタンチャンバが上下に対称的に連通し合って設置され、前記ボタンチャンバの中にはボタンがスライドできるように設置され、前記ボタンのうち対称中心に近接した一側の端面の中にはラックが固定的に設置され、上下両側の前記ボタンチャンバの間には歯車チャンバが連通し合って設置され、前記歯車チャンバの中には直歯車が回転できるように連結され、前記直歯車の上下両端が両側の前記ラックと終始噛合し、前記連通溝の左側の内壁には上側の前記ボタンと正対している導電ブロックが固定的に設置され、前記導電ブロックは前記上電磁ブロックと前記下電磁石と電気的に連結され、
前記手動装置が装置の弾丸の装填と射撃動作を制御できることを特徴とする請求項１に記載の安全な射撃玩具。
【請求項４】
前後両側の前記レールの中にはガイド溝が相対して開口して設置され、前後両側の前記ガイド溝の間にはガイド棒が連結され、前記ガイド棒には弾丸が固定的に設置され、前記弾丸が前記モーターに電気によって連結され、前記仕切板の左端面の中には探触子が固定的に設置され、
前記ガイド溝によって弾丸の射撃軌跡を導け、弾丸が離脱するのを防止できることを特徴とする請求項３に記載の安全な射撃玩具。
【発明の詳細な説明】
【技術分野】
【０００１】
本発明は玩具分野を取り上げて、具体的には安全な射撃玩具である。
【背景技術】
【０００２】
射撃おもちゃは子供が好きな玩具の一つであり、しかし射撃玩具には隠れた安全リスクが存在しており、それに子供が人に狙って射撃するのが好き、人体にダメージを与え、そのため人体にダメージを与えられない安全な射撃玩具を設計するのが真に必要であり、本装置はレールによって弾丸の射撃軌跡を制限でき、弾丸を離脱させなく、それにより人体にダメージを与えなく、射撃体験を影響しなく、それに閉ループに形成したレールによって弾丸を再び装填できる。
【先行技術文献】
【特許文献】
【０００３】
【特許文献１】中国特許出願公開第106039727号明細書
【発明の概要】
【発明が解決しようとする課題】
【０００４】
本発明の解決する技術問題は安全な射撃玩具を提供し、それが上記現有の技術の問題を解決する。
【課題を解決するための手段】
【０００５】
本発明の安全な射撃玩具は、本体及び前後に対称的なレールを含み、前記本体の中には左右に貫通した抜き穴が設置され、前記レールが前記抜き穴を通過しており、前記レールの内外端面にはすべて保護ブロックが固定的に設置され、外側の前記保護ブロックが前記抜き穴の下側の内壁に固定的に連結され、前記抜き穴の上側の内壁の中には収納チャンバが連通し合って設置され、前記収納チャンバの中には伝動装置が設置され、前記伝動装置の下端には射撃装置が連結され、前記抜き穴の下側の内壁の中には手動装置が設置され、前記伝動装置は前記収納チャンバの中にスライドできるように設置されたスライド板を含み、前記収納チャンバの上側の内壁の中には上電磁ブロックが固定的に設置され、前記上電磁ブロックと前記スライド板との間には圧縮撥条が固定的に連結され、前記スライド板の下側端面の左端には固定棒が固定的に連結され、前記固定棒の右側には前記収納チャンバの中でスライドできるスライド棒が設置され、前記スライド棒の上端が前記スライド板と当接し、前記固定棒の中には伝動チャンバが設置され、前記伝動チャンバの中には中間歯車が回転できるように設置され、前記中間歯車の上端にはモーター軸が固定的に連結され、前記伝動チャンバの上側の内壁の中にはモーターが固定的に設置され、前記モーター軸が前記モーターに伝動できるように連結され、前記中間歯車の左端が前記射撃装置と噛み合って連結され、前記中間歯車の右端には右歯車が噛み合って設置され、前記右歯車の右端には長い軸と横ネジボルトとが固定的に連結され、前記横ネジボルトの中には長い軸チャンバが左右に貫通して設置され、前記スライド棒の中には左に開口したネジ山抜き穴が設置され、前記横ネジボルトが前記横ネジ山抜き穴にネジ山によって連結され、前記ネジ山抜き穴の右側の内壁の中には方向変えチャンバが連通して設置され、前記長い軸の右端が前記方向変えチャンバの中に伸びて主傘歯車と固定的に連結され、前記主傘歯車の下端には副傘歯車が噛み合って設置され、前記副傘歯車の下端には縦ネジボルトが固定的に連結され、前記スライド棒の中には下に開口した仕切板チャンバが左右に貫通して設置され、前記仕切板チャンバの中には仕切板がスライドできるように設置され、前記仕切板の中には上に開口したネジ山付止り穴が設置され、前記縦ネジボルトが前記ネジ山付止り穴とネジ山によって連結されており、
前記伝動装置によって改めて弾丸を装填できる。
【０００６】
更なる技術方案、前記射撃装置は前記中間歯車の左端に噛み合って設置された左歯車を含み、前記左歯車の左端には短い軸が固定的に連結され、前記伝動チャンバの左側の内壁の中には伝動ベルトチャンバが設置され、前記伝動ベルトチャンバの中には上プーリが回転できるように設置され、前記上プーリが前記短い軸に固定的に連結され、前記上プーリの下側には下プーリが回転できるように設置され、前記下プーリと前記上プーリとの間には伝動ベルトが連結され、前記下プーリの左端には駆動歯車が固定的に連結され、前記駆動歯車の前端には従動歯車が噛み合って設置され、前記従動歯車の前端には連結軸が固定的に連結され、前記伝動ベルトチャンバの前側の内壁の中には離合チャンバが設置され、前記離合チャンバの中には下電磁石が回転できるように設置され、前記下電磁石が前記連結軸と固定的に連結され、前記下電磁石の前側には離合板がスライドまた回転できるように設置され、前記離合板の中にはねじり軸がスプラインによって連結され、前記離合板の前端と前記離合チャンバの前側の内壁との間には復帰撥条が固定的に連結され、前記離合チャンバの前側内壁の中には左右に貫通し且つ下に開口したねじり板チャンバが設置され、前記ねじり軸の前端が前記ねじり板チャンバの中に伸びており且つねじり板と固定的に連結され、前記ねじり板の前端と前記ねじり板チャンバの前側の内壁との間にはねじりばねが固定的に連結されており、
前記射撃装置によって弾丸を発射できる。
【０００７】
更なる技術方案、前記手動装置は前記抜き穴の下側の内壁の中に設置された連通溝を含み、前記連通溝の右側の内壁の中には右に開口したボタンチャンバが上下に対称的に連通し合って設置され、前記ボタンチャンバの中にはボタンがスライドできるように設置され、前記ボタンのうち対称中心に近接した一側の端面の中にはラックが固定的に設置され、上下両側の前記ボタンチャンバの間には歯車チャンバが連通し合って設置され、前記歯車チャンバの中には直歯車が回転できるように連結され、前記直歯車の上下両端が両側の前記ラックと終始噛合し、前記連通溝の左側の内壁には上側の前記ボタンと正対している導電ブロックが固定的に設置され、前記導電ブロックは前記上電磁ブロックと前記下電磁石と電気的に連結されており、
前記手動装置が装置の弾丸の装填と射撃動作を制御できる。
【０００８】
更なる技術方案、前後両側の前記レールの中にはガイド溝が相対して開口して設置され、前後両側の前記ガイド溝の間にはガイド棒が連結され、前記ガイド棒には弾丸が固定的に設置され、前記弾丸が前記モーターに電気によって連結され、前記仕切板の左端面の中には探触子が固定的に設置されており、
前記ガイド溝によって弾丸の射撃軌跡を導け、弾丸が離脱するのを防止できる。
【発明の効果】
【０００９】
本発明の有益な効果は下記の通りである：
【００１０】
本発明は構成が簡単で、操作が便利で、レールによって弾丸の射撃レールを制限して、弾丸を離脱させなく、更に人体にダメージを与えなく、射撃体験を影響しなく、それに閉ループに形成したレールによって弾丸を改めて装填できる。
【図面の簡単な説明】
【００１１】
【図１】図１は本発明の安全な射撃玩具の内部構成模式図
【図２】図２は図１の「Ａ」の拡大模式図
【図３】図３は図１の「Ｂ−Ｂ」の方向の構成模式図
【図４】図４は図２の「Ｃ−Ｃ」の方向の構成模式図
【発明を実施するための形態】
【００１２】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−４を参考して、本発明の安全な射撃玩具は、本体１１及び前後に対称的なレール１９を含み、前記本体１１の中には左右に貫通した抜き穴１７が設置され、前記レール１９が前記抜き穴１７を通過しており、前記レール１９の内外端面にはすべて保護ブロック１８が固定的に設置され、外側の前記保護ブロック１８が前記抜き穴１７の下側の内壁に固定的に連結され、前記抜き穴１７の上側の内壁の中には収納チャンバ３１が連通し合って設置され、前記収納チャンバ３１の中には伝動装置１００が設置され、前記伝動装置１００の下端には射撃装置１０１が連結され、前記抜き穴１７の下側の内壁の中には手動装置１０２が設置され、前記伝動装置１００は前記収納チャンバ３１の中にスライドできるように設置されたスライド板２６を含み、前記収納チャンバ３１の上側の内壁の中には上電磁ブロック２７が固定的に設置され、前記上電磁ブロック２７と前記スライド板２６との間には圧縮撥条２９が固定的に連結され、前記スライド板２６の下側端面の左端には固定棒５０が固定的に連結され、前記固定棒５０の右側には前記収納チャンバ３１の中でスライドできるスライド棒３２が設置され、前記スライド棒３２の上端が前記スライド板２６と当接し、前記固定棒５０の中には伝動チャンバ５１が設置され、前記伝動チャンバ５１の中には中間歯車５３が回転できるように設置され、前記中間歯車５３の上端にはモーター軸３０が固定的に連結され、前記伝動チャンバ５１の上側の内壁の中にはモーター２８が固定的に設置され、前記モーター軸３０が前記モーター２８に伝動できるように連結され、前記中間歯車５３の左端が前記射撃装置１０１と噛み合って連結され、前記中間歯車５３の右端には右歯車５４が噛み合って設置され、前記右歯車５４の右端には長い軸４０と横ネジボルト４１とが固定的に連結され、前記横ネジボルト４１の中には長い軸チャンバ４２が左右に貫通して設置され、前記スライド棒３２の中には左に開口したネジ山抜き穴６４が設置され、前記横ネジボルト４１が前記横ネジ山抜き穴６４にネジ山によって連結され、前記ネジ山抜き穴６４の右側の内壁の中には方向変えチャンバ３３が連通して設置され、前記長い軸４０の右端が前記方向変えチャンバ３３の中に伸びて主傘歯車３４と固定的に連結され、前記主傘歯車３４の下端には副傘歯車３５が噛み合って設置され、前記副傘歯車３５の下端には縦ネジボルト３６が固定的に連結され、前記スライド棒３２の中には下に開口した仕切板チャンバ３８が左右に貫通して設置され、前記仕切板チャンバ３８の中には仕切板３９がスライドできるように設置され、前記仕切板３９の中には上に開口したネジ山付止り穴３７が設置され、前記縦ネジボルト３６が前記ネジ山付止り穴３７とネジ山によって連結されており、
前記伝動装置１００によって改めて弾丸を装填できる。
【００１４】
有益なように、前記射撃装置１０１は前記中間歯車５３の左端に噛み合って設置された左歯車５２を含み、前記左歯車５２の左端には短い軸４８が固定的に連結され、前記伝動チャンバ５１の左側の内壁の中には伝動ベルトチャンバ４６が設置され、前記伝動ベルトチャンバ４６の中には上プーリ４９が回転できるように設置され、前記上プーリ４９が前記短い軸４８に固定的に連結され、前記上プーリ４９の下側には下プーリ６０が回転できるように設置され、前記下プーリ６０と前記上プーリ４９との間には伝動ベルト４７が連結され、前記下プーリ６０の左端には駆動歯車６２が固定的に連結され、前記駆動歯車６２の前端には従動歯車６３が噛み合って設置され、前記従動歯車６３の前端には連結軸５９が固定的に連結され、前記伝動ベルトチャンバ４６の前側の内壁の中には離合チャンバ５６が設置され、前記離合チャンバ５６の中には下電磁石５８が回転できるように設置され、前記下電磁石５８が前記連結軸５９と固定的に連結され、前記下電磁石５８の前側には離合板５７がスライドまた回転できるように設置され、前記離合板５７の中にはねじり軸４３がスプラインによって連結され、前記離合板５７の前端と前記離合チャンバ５６の前側の内壁との間には復帰撥条６５が固定的に連結され、前記離合チャンバ５６の前側内壁の中には左右に貫通し且つ下に開口したねじり板チャンバ４５が設置され、前記ねじり軸４３の前端が前記ねじり板チャンバ４５の中に伸びており且つねじり板４４と固定的に連結され、前記ねじり板４４の前端と前記ねじり板チャンバ４５の前側の内壁との間にはねじりばね５５が固定的に連結されており、
前記射撃装置１０１によって弾丸を発射できる。
【００１５】
有益なように、前記手動装置１０２は前記抜き穴１７の下側の内壁の中に設置された連通溝１２を含み、前記連通溝１２の右側の内壁の中には右に開口したボタンチャンバ１５が上下に対称的に連通し合って設置され、前記ボタンチャンバ１５の中にはボタン２５がスライドできるように設置され、前記ボタン２５のうち対称中心に近接した一側の端面の中にはラック２４が固定的に設置され、上下両側の前記ボタンチャンバ１５の間には歯車チャンバ１４が連通し合って設置され、前記歯車チャンバ１４の中には直歯車１３が回転できるように連結され、前記直歯車１３の上下両端が両側の前記ラック２４と終始噛合し、前記連通溝１２の左側の内壁には上側の前記ボタン２５と正対している導電ブロック１６が固定的に設置され、前記導電ブロック１６は前記上電磁ブロック２７と前記下電磁石５８と電気的に連結されており、
前記手動装置１０２が装置の弾丸の装填と射撃動作を制御できる。
【００１６】
有益なように、前後両側の前記レール１９の中にはガイド溝２０が相対して開口して設置され、前後両側の前記ガイド溝２０の間にはガイド棒２１が連結され、前記ガイド棒２１には弾丸２３が固定的に設置され、前記弾丸２３が前記モーター２８に電気によって連結され、前記仕切板３９の左端面の中には探触子２２が固定的に設置されており、
前記ガイド溝２０によって弾丸の射撃軌跡を導け、弾丸が離脱するのを防止できる。
【００１７】
使用する時、上側のボタン２５と導電ブロック１６とが接触しなく、この時上電磁石ブロック２７が通電しなく、この時探触子２２及び下電磁石５８に通電して離合板５７を吸着させ、この時探触子２２が弾丸２３を検出できる時、モーター２８を始動し、更に歯車伝動及びベルト伝動によって下電磁石５８を回転連動させ、それにより離合板５７によってねじり軸４３を回転連動させ、それによりねじり板４４を回転連動させてねじりばね５５をねじり、同時に歯車伝動によって長い軸４０と横ネジボルト４１とを回転連動させ、それによりスライド棒３２を左にスライド連動させ、それにより弾丸２３を押し動かして左にスライドさせ、同時に長い軸４０が傘歯車の伝動によって縦ネジボルト３６を回転連動させ、それにより仕切板３９と探触子２２を上昇連動させ、探触子２２が弾丸２３を検出できない時ねじり板４４と弾丸２３とが当接し、上側のボタン２５を推してスライドさせ、それにより歯車とラックとの伝動によって下側のボタン２５を連動させて滑り出させ、上側のボタン２５と導電ブロック１６とが接触する時、上電磁ブロック２７に通電させ、同時に下電磁石５８と探触子２２との通電を停止させ、この時復帰撥条６５の弾力作用によって離合板５７を下電磁石から離脱させ、この時ねじりばね５５の弾力の作用によってねじり板４４を回転連動させ、それにより弾丸２３を推し、同時に上電磁石２７がスライド板２６を付吸着し、それにより伝動装置１００と射撃装置１０１とを上昇連動させ、この時ねじり板４４が弾丸２３を発射し、改めて装填する時下側のボタン２５を推して上側のボタン２５を導電ブロック１６との接触から離脱させる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171632.tif 000003
【図２】
2020171632.tif 000004
【図３】
2020171632.tif 000005
【図４】
2020171632.tif 000006
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
安全な射撃玩具であって、本体及び前後に対称的なレールを含み、その特徴は、前記本体の中には左右に貫通した抜き穴が設置され、前記レールが前記抜き穴を通過しており、前記レールの内外端面にはすべて保護ブロックが固定的に設置され、外側の前記保護ブロックが前記抜き穴の下側の内壁に固定的に連結され、前記抜き穴の上側の内壁の中には収納チャンバが連通し合って設置され、前記収納チャンバの中には伝動装置が設置され、前記伝動装置の下端には射撃装置が連結され、前記抜き穴の下側の内壁の中には手動装置が設置され、前記伝動装置は前記収納チャンバの中にスライドできるように設置されたスライド板を含み、前記収納チャンバの上側の内壁の中には上電磁ブロックが固定的に設置され、前記上電磁ブロックと前記スライド板との間には圧縮撥条が固定的に連結され、前記スライド板の下側端面の左端には固定棒が固定的に連結され、前記固定棒の右側には前記収納チャンバの中でスライドできるスライド棒が設置され、前記スライド棒の上端が前記スライド板と当接し、前記固定棒の中には伝動チャンバが設置され、前記伝動チャンバの中には中間歯車が回転できるように設置され、前記中間歯車の上端にはモーター軸が固定的に連結され、前記伝動チャンバの上側の内壁の中にはモーターが固定的に設置され、前記モーター軸が前記モーターに伝動できるように連結され、前記中間歯車の左端が前記射撃装置と噛み合って連結され、前記中間歯車の右端には右歯車が噛み合って設置され、前記右歯車の右端には長い軸と横ネジボルトとが固定的に連結され、前記横ネジボルトの中には長い軸チャンバが左右に貫通して設置され、前記スライド棒の中には左に開口したネジ山抜き穴が設置され、前記横ネジボルトが前記横ネジ山抜き穴にネジ山によって連結され、前記ネジ山抜き穴の右側の内壁の中には方向変えチャンバが連通して設置され、前記長い軸の右端が前記方向変えチャンバの中に伸びて主傘歯車と固定的に連結され、前記主傘歯車の下端には副傘歯車が噛み合って設置され、前記副傘歯車の下端には縦ネジボルトが固定的に連結され、前記スライド棒の中には下に開口した仕切板チャンバが左右に貫通して設置され、前記仕切板チャンバの中には仕切板がスライドできるように設置され、前記仕切板の中には上に開口したネジ山付止り穴が設置され、前記縦ネジボルトが前記ネジ山付止り穴とネジ山によって連結され、
前記伝動装置によって改めて弾丸を装填できることを特徴とする安全な射撃玩具。
【請求項２】
前記射撃装置は前記中間歯車の左端に噛み合って設置された左歯車を含み、前記左歯車の左端には短い軸が固定的に連結され、前記伝動チャンバの左側の内壁の中には伝動ベルトチャンバが設置され、前記伝動ベルトチャンバの中には上プーリが回転できるように設置され、前記上プーリが前記短い軸に固定的に連結され、前記上プーリの下側には下プーリが回転できるように設置され、前記下プーリと前記上プーリとの間には伝動ベルトが連結され、前記下プーリの左端には駆動歯車が固定的に連結され、前記駆動歯車の前端には従動歯車が噛み合って設置され、前記従動歯車の前端には連結軸が固定的に連結され、前記伝動ベルトチャンバの前側の内壁の中には離合チャンバが設置され、前記離合チャンバの中には下電磁石が回転できるように設置され、前記下電磁石が前記連結軸と固定的に連結され、前記下電磁石の前側には離合板がスライドまた回転できるように設置され、前記離合板の中にはねじり軸がスプラインによって連結され、前記離合板の前端と前記離合チャンバの前側の内壁との間には復帰撥条が固定的に連結され、前記離合チャンバの前側内壁の中には左右に貫通し且つ下に開口したねじり板チャンバが設置され、前記ねじり軸の前端が前記ねじり板チャンバの中に伸びており且つねじり板と固定的に連結され、前記ねじり板の前端と前記ねじり板チャンバの前側の内壁との間にはねじりばねが固定的に連結され、
前記射撃装置によって弾丸を発射できることを特徴とする請求項１に記載の安全な射撃玩具。
【請求項３】
前記手動装置は前記抜き穴の下側の内壁の中に設置された連通溝を含み、前記連通溝の右側の内壁の中には右に開口したボタンチャンバが上下に対称的に連通し合って設置され、前記ボタンチャンバの中にはボタンがスライドできるように設置され、前記ボタンのうち対称中心に近接した一側の端面の中にはラックが固定的に設置され、上下両側の前記ボタンチャンバの間には歯車チャンバが連通し合って設置され、前記歯車チャンバの中には直歯車が回転できるように連結され、前記直歯車の上下両端が両側の前記ラックと終始噛合し、前記連通溝の左側の内壁には上側の前記ボタンと正対している導電ブロックが固定的に設置され、前記導電ブロックは前記上電磁ブロックと前記下電磁石と電気的に連結され、
前記手動装置が装置の弾丸の装填と射撃動作を制御できることを特徴とする請求項２に記載の安全な射撃玩具。
【請求項４】
前後両側の前記レールの中にはガイド溝が相対して開口して設置され、前後両側の前記ガイド溝の間にはガイド棒が連結され、前記ガイド棒には弾丸が固定的に設置され、前記弾丸が前記モーターに電気によって連結され、前記仕切板の左端面の中には探触子が固定的に設置され、
前記ガイド溝によって弾丸の射撃軌跡を導け、弾丸が離脱するのを防止できることを特徴とする請求項３に記載の安全な射撃玩具。